(57)【特許請求の範囲】
【請求項１】
黒画素を記録する場合は、当該記録対象黒画素の周辺画素に存在しカラー信号を構成する各要素信号内の一色の要素信号を抽出し、この抽出した要素信号に対応するインクを黒色のインクと共に用いてカラー記録を行うことを特徴とするカラー記録方法。
【請求項２】
黒画素を記録する場合は、当該記録対象黒画素の周辺画素に存在しカラー信号を構成する各要素信号の数を計数し、この計数値が最大となる要素信号を抽出し、この抽出した要素信号に対応するインクを黒色のインクと共に用いてカラー記録を行うことを特徴とするカラー記録方法。
【請求項３】
黒画素を記録する場合は、当該記録対象黒画素の数を計数し、この計数値からの黒色以外のインク数による剰余に応じて黒色のインクと共に記録するインクを選択し、この選択に応じて黒色のインクと共に前記選択したインクを用いてカラー記録を行うことを特徴とするカラー記録方法。
【請求項４】
黒画素を記録する場合は、乱数を発生させ、この乱数値に応じて黒色のインクと共に記録するインクを選択し、この選択に応じて黒色のインクと共に前記選択したインクを用いてカラー記録を行うことを特徴とするカラー記録方法。
【請求項５】
前記記録対象黒画素の周辺画素に存在しカラー信号および黒信号を構成する各要素信号の数を計数し、少なくとも、黒信号数が所定値以上又はカラー及び黒がいずれも記録されていない非印字画素の数が所定値以上又はカラー信号数が所定値以下、のいずれかの場合は、前記抽出した要素信号に対応するインクの使用を禁止する一方、当該記録する黒画素を黒インクのみを用いて記録することを特徴とする請求項１に記載のカラー記録方法。
【請求項６】
黒画素を記録する場合は、黒色のインクと共に黒色以外のいずれか一色のインクを記録する指示を与える補正色決定手段と、この補正色決定手段の指示に応じ、黒色を含んだ複数色のインクを用いてカラー記録を行う記録手段とを具備し、前記補正色決定手段は、当該記録対象黒画素の周辺画素に存在しカラー信号を構成する各要素信号内の一色の要素信号を抽出する抽出手段と、この抽出手段が抽出した要素信号に対応するインクを黒色のインクと共に記録する指示を与える指示手段とを有することを特徴とするカラー記録装置。
【請求項７】
黒画素を記録する場合は、黒色のインクと共に黒色以外のいずれか一色のインクを記録する指示を与える補正色決定手段と、この補正色決定手段の指示に応じ、黒色を含んだ複数色のインクを用いてカラー記録を行う記録手段とを具備し、前記補正色決定手段は、当該記録対象黒画素の周辺画素に存在しカラー信号を構成する各要素信号の数を計数する計数手段と、この計数値が最大となる要素信号を抽出する抽出手段と、この抽出手段が抽出した要素信号に対応するインクを黒色のインクと共に記録する指示を与える指示手段とを有することを特徴とするカラー記録装置。
【請求項８】
黒画素を記録する場合は、黒色のインクと共に黒色以外のいずれか一色のインクを記録する指示を与える補正色決定手段と、この補正色決定手段の指示に応じ、黒色を含んだ複数色のインクを用いてカラー記録を行う記録手段とを具備し、前記補正色決定手段は、当該記録対象黒画素の数を計数する計数手段と、この計数値からの黒色以外のインク数による剰余に応じて黒色のインクと共に記録するインクを選択する選択手段とを有することを特徴とするカラー記録装置。
【請求項９】
黒画素を記録する場合は、黒色のインクと共に黒色以外のいずれか一色のインクを記録する指示を与える補正色決定手段と、この補正色決定手段の指示に応じ、黒色を含んだ複数色のインクを用いてカラー記録を行う記録手段とを具備し、前記補正色決定手段は、乱数を発生する乱数発生手段と、この乱数値に応じて黒色のインクと共に記録するインクを選択する選択手段とを有することを特徴とするカラー記録装置。
【請求項１０】
前記記録対象黒画素の周辺画素に存在しカラー信号および黒信号を構成する各要素信号の数を計数する計数手段と、少なくとも、黒信号数が所定値以上又はカラー及び黒がいずれも記録されていない非印字画素の数が所定値以上又はカラー信号数が所定値以下、のいずれかの場合は、前記抽出した要素信号に対応するインクの使用を禁止する一方、前記記録対象となる黒画素を黒インクのみを用いて記録する指示を与える補正禁止手段とを備えることを特徴とする請求項６に記載のカラー記録装置。
【請求項１１】
請求項６から請求項１０のいずれかに記載のカラー記録装置を備えたファクシミリ装置。
【発明の詳細な説明】
【０００１】
【発明の属する技術分野】
本発明は、インクジェット記録方式を採用するプリンタ等に好適なカラー記録方法、カラー記録装置及びこれを備えたファクシミリ装置に関する。
【０００２】
【従来の技術】
従来、インクジェット記録方式等を採用するカラー記録装置では、擬似中間調表現を行うため、シアン、マゼンタ、イエロー、又は赤、緑、青、のいわゆる３原色の多値レベルの画信号を入力し、これを誤差拡散法等で２値化、又はそれ以上の信号に多値化し、シアン、マゼンタ、イエローの３色のインク（カラーインク）のみで記録が行われていた。
【０００３】
しかし、シアン、マゼンタ、イエローの３色のみで黒画素を表現するためにはこれらを重ねて記録する必要があるが、各色のインクが記録紙へ付着する状態等によって、黒が無彩色にならず、若干の色味を帯びるという問題点がある。また、黒画素が多い場合には、１画素当たり３色分のインクを使用するため、インクの消費が多く不経済であり、また、インク量が多くなることによって記録紙にシワが発生するという問題点がある。さらに、文字・線等を３色で記録すると、滲んで文字・線が太くなるという問題点もある。
【０００４】
そこで、従来から、上記３色のカラーインクの他に黒インクを備え、黒画素を記録する場合は、黒インクのみを用いることによって、上記の各問題点の解決を図らんとしたカラー記録装置が提案されている。
【０００５】
黒インクを使用する場合には、入力信号における３原色（シアン、マゼンタ、イエロー、又は赤、緑、青）から黒成分を抽出する必要があるが、従来のカラー記録装置は、シアン、マゼンタ、イエローの３色全てが重なる画素を検出し、これを黒画素とみなす手段を採った。シアン、マゼンタ、イエローの３色が重なる部分を黒画素とみなし、黒インクで置き換えて記録することによって、上記の各問題点を解消したのである。
【０００６】
【発明が解決しようとする課題】
しかしながら、インクジェット記録方式を採用するカラー記録装置では、通常、シアン、マゼンタ、イエローの３色を記録する記録ヘッドと、黒インクを記録する記録ヘッドとを別構成にしているため、これら２つの記録ヘッドの組み立て誤差等により、３色のカラーインクの記録位置と、黒インクの記録位置とが一致せず、両者がずれる場合がある。
【０００７】
このように記録位置のずれが起きる場合、シアン、マゼンタ、イエローの３色全てが重なる画素を、黒インクに置き換えると、画質が劣化するという問題点がある。すなわち、カラーインクと黒インクとの記録位置にずれが生じると、シアン、マゼンタ、イエローの３色全てが重なる画素を黒インクに置き換えた際、本来黒インクで覆われるはずであった部分の記録紙の地色が露出する。記録紙の地色は、通常白色であるため、黒画素とカラー画素が混在した画像に白色が入り込んで記録濃度が低下する。また、ザラツキ感が生じて、記録画像の品質を低下させてしまうという問題点がある。
【０００８】
本発明は、上記の問題点に鑑みてなされたものであり、黒画素を記録する際に、黒インクと共に黒インク以外のインクを補正色として記録することにより、記録画像の品質劣化を防止することができるカラー記録方法、カラー記録装置及びこれを備えたファクシミリ装置を提供することを目的とする。
【０００９】
【課題を解決するための手段】
本発明は、黒画素を記録する場合は、当該記録対象黒画素の周辺画素に存在しカラー信号を構成する各要素信号内の一色の要素信号を抽出し、この抽出した要素信号に対応するインクを黒色のインクと共に用いてカラー記録を行う。また、記録対象黒画素の周辺画素に存在しカラー信号および黒信号を構成する各要素信号の数を計数し、少なくとも、黒信号数が所定値以上又はカラー信号数が所定値以下又はカラー及び黒がいずれも記録されていない非印字画素の数が所定値以上、のいずれかの場合は、抽出した要素信号に対応するインクの使用を禁止する一方、当該記録する黒画素を黒インクのみを用いて記録する。
【００１０】
【発明の実施の形態】
本発明の第１の態様に係るカラー記録方法は、黒画素を記録する場合は、当該記録対象黒画素の周辺画素に存在しカラー信号を構成する各要素信号内の一色の要素信号を抽出し、この抽出した要素信号に対応するインクを黒色のインクと共に用いてカラー記録を行う。
【００１１】
この構成により、黒画素を黒色のインクで記録する際に、記録位置のずれが生じたことによって記録紙の地色が露出する場合であっても、記録対象黒画素の周辺画素に存在する各要素信号の内の一色の要素信号に対応するインクを黒色のインクと共に記録する。従って、記録紙の地色を記録対象黒画素の周辺画素に存在する各要素信号の内の一色の要素信号に対応するインクで隠蔽することにより、当該インクの色が目立つことなく記録画像のザラツキ感を解消させ、記録画像の劣化を防止することができる。
【００１２】
また、本発明の第２の態様に係るカラー記録方法は、黒画素を記録する場合は、当該記録対象黒画素の周辺画素に存在しカラー信号を構成する各要素信号の数を計数し、この計数値が最大となる要素信号を抽出し、この抽出した要素信号に対応するインクを黒色のインクと共に用いてカラー記録を行う。
【００１３】
この構成により、周辺画素に存在する各要素信号のうち最も多い要素信号に対応するインクを黒色のインクと共に記録することができるため、最も目立ちにくい色を補正色として決定することができる。
【００１８】
また、本発明の第３の態様に係るカラー記録方法は、黒画素を記録する場合は、当該記録対象黒画素の数を計数し、この計数値からの黒色以外のインク数による剰余に応じて黒色のインクと共に記録するインクを選択し、この選択に応じて黒色のインクと共に前記選択したインクを用いてカラー記録を行う。
【００１９】
この構成により、当該記録対象黒画素の数を計数し、この計数値からの黒色以外のインク数による剰余に応じて黒色のインクと共に記録するインクを選択することができるため、簡易な方法で補正色を決定することができる。また、ある面積で見れば補正色の出現頻度は平均化され黒になる。
【００２０】
また、本発明の第４の態様に係るカラー記録方法は、黒画素を記録する場合は、乱数を発生させ、この乱数値に応じて黒色のインクと共に記録するインクを選択し、この選択に応じて黒色を含んだ複数色のインクを用いてカラー記録を行う。
【００２１】
この構成により、乱数値を用いて一つの信号を決定することができるため、簡易な方法で補正色を決定することができる。また、ある面積で見れば補正色の出現頻度は平均化され黒になる。
【００２４】
また、本発明の第５の態様は、第１の態様に係るカラー記録方法において、前記記録対象黒画素の周辺画素に存在しカラー信号および黒信号を構成する各要素信号の数を計数し、少なくとも、黒信号数が所定値以上又はカラー及び黒がいずれも記録されていない非印字画素の数が所定値以上又はカラー信号数が所定値以下、のいずれかの場合は、前記抽出した要素信号に対応するインクの使用を禁止する一方、当該記録する黒画素を黒インクのみを用いて記録する。
【００２５】
この構成により、黒色以外のインク、すなわち補正色を記録することによる弊害を除去することが可能となる。
【００２７】
即ち、録対象黒画素の周辺画素に存在する黒信号数が所定値以上の場合は、黒インクのみで記録されるいわゆる黒のべた画像であり、位置ずれが生じても画像全体で均一にずれるため、記録紙の地色が露出することが無く、そもそも補正色を記録する必要は無い。このような場合、補正色を記録するとインクが無駄になり、にじみの原因ともなるおそれがある。そこで、このような場合は補正色を記録することを禁止し、記録対象画素を黒色のインクのみで記録することとした。これにより、上記の弊害を回避することができる。
【００２９】
また、記録対象黒画素の周辺画素に存在する、カラー及び黒がいずれも記録されていない非印字画素の数が所定値以上の場合は、記録画素の周辺に白画素（非印字画素）が多く、位置ずれしても位置ずれによって発生する白が目立たないため、黒インクのみを用いて記録することとし、黒色以外のインクを記録することによる弊害を防止することができる。
【００３１】
さらに、記録対象黒画素の周辺画素に存在するカラー信号数が所定値以下の場合は、記録画素の周辺にカラー画素が少なく、位置ずれしても位置ずれによって発生する白が目立たないため、黒インクのみを用いて記録することとし、黒色以外のインクを記録することによる弊害を防止することができる。
【００３２】
また、本発明の第６の態様に係るカラー記録装置は、黒画素を記録する場合は、黒色のインクと共に黒色以外のいずれか一色のインクを記録する指示を与える補正色決定手段と、この補正色決定手段の指示に応じ、黒色を含んだ複数色のインクを用いてカラー記録を行う記録手段とを具備し、前記補正色決定手段は、当該記録対象黒画素の周辺画素に存在しカラー信号を構成する各要素信号内の一色の要素信号を抽出する抽出手段と、この抽出手段が抽出した要素信号に対応するインクを黒色のインクと共に記録する指示を与える指示手段とを有する。
【００３３】
この構成により、黒画素を黒色のインクで記録する際に、記録位置のずれが生じたことによって記録紙の地色が露出する場合であっても、記録対象黒画素の周辺画素に存在する各要素信号の内の一色の要素信号に対応するインクを黒色のインクと共に記録する。従って、記録紙の地色を記録対象黒画素の周辺画素に存在する各要素信号の内の一色の要素信号に対応するインクで隠蔽することにより、当該インクの色が目立つことなく記録画像のザラツキ感を解消させ、記録画像の劣化を防止することができる。
【００３４】
また、本発明の第７の態様に係るカラー記録装置は、黒画素を記録する場合は、黒色のインクと共に黒色以外のいずれか一色のインクを記録する指示を与える補正色決定手段と、この補正色決定手段の指示に応じ、黒色を含んだ複数色のインクを用いてカラー記録を行う記録手段とを具備し、前記補正色決定手段は、当該記録対象黒画素の周辺画素に存在しカラー信号を構成する各要素信号の数を計数する計数手段と、この計数値が最大となる要素信号を抽出する抽出手段と、この抽出手段が抽出した要素信号に対応するインクを黒色のインクと共に記録する指示を与える指示手段とを有する。
【００３５】
この構成により、周辺画素に存在する各要素信号のうち最も多い要素信号に対応するインクを黒色のインクと共に記録することができるため、最も目立ちにくい色を補正色として決定することができる。
【００３６】
また、本発明の第８の態様に係るカラー記録装置は、黒画素を記録する場合は、黒色のインクと共に黒色以外のいずれか一色のインクを記録する指示を与える補正色決定手段と、この補正色決定手段の指示に応じ、黒色を含んだ複数色のインクを用いてカラー記録を行う記録手段とを具備し、前記補正色決定手段は、当該記録対象黒画素の数を計数する計数手段と、この計数値からの黒色以外のインク数による剰余に応じて黒色のインクと共に記録するインクを選択する選択手段とを有する。
【００３７】
この構成により、当該記録対象黒画素の数を計数し、この計数値からの黒色以外のインク数による剰余に応じて黒色のインクと共に記録するインクを選択することができるため、簡易な方法で補正色を決定することができる。また、ある面積で見れば補正色の出現頻度は平均化され黒になる。
【００３８】
また、本発明の第９の態様に係るカラー記録装置は、黒画素を記録する場合は、黒色のインクと共に黒色以外のいずれか一色のインクを記録する指示を与える補正色決定手段と、この補正色決定手段の指示に応じ、黒色を含んだ複数色のインクを用いてカラー記録を行う記録手段とを具備し、前記補正色決定手段は、乱数を発生する乱数発生手段と、この乱数値に応じて黒色のインクと共に記録するインクを選択する選択手段とを有する。
【００３９】
この構成により、乱数値を用いて一つの信号を決定することができるため、簡易な方法で補正色を決定することができる。また、ある面積で見れば補正色の出現頻度は平均化され黒になる。
【００４０】
また、本発明の第１０の態様は、第６の態様に記載のカラー記録装置において、前記記録対象黒画素の周辺画素に存在しカラー信号および黒信号を構成する各要素信号の数を計数する計数手段と、少なくとも、黒信号数が所定値以上又はカラー及び黒がいずれも記録されていない非印字画素の数が所定値以上又はカラー信号数が所定値以下、のいずれかの場合は、前記抽出した要素信号に対応するインクの使用を禁止する一方、前記記録対象となる黒画素を黒インクのみを用いて記録する指示を与える補正禁止手段とを備える。
【００４１】
この構成により、黒色以外のインク、すなわち補正色を記録することによる弊害を除去することが可能となる。即ち、録対象黒画素の周辺画素に存在する黒信号数が所定値以上の場合は、黒インクのみで記録されるいわゆる黒のべた画像であり、位置ずれが生じても画像全体で均一にずれるため、記録紙の地色が露出することが無く、そもそも補正色を記録する必要は無い。このような場合、補正色を記録するとインクが無駄になり、にじみの原因ともなるおそれがある。そこで、このような場合は補正色を記録することを禁止し、記録対象画素を黒色のインクのみで記録することとした。これにより、上記の弊害を回避することができる。また、記録対象黒画素の周辺画素に存在する、カラー及び黒がいずれも記録されていない非印字画素の数が所定値以上の場合は、記録画素の周辺に白画素（非印字画素）が多く、位置ずれしても位置ずれによって発生する白が目立たないため、黒インクのみを用いて記録することとし、黒色以外のインクを記録することによる弊害を防止することができる。さらに、記録対象黒画素の周辺画素に存在するカラー信号数が所定値以下の場合は、記録画素の周辺にカラー画素が少なく、位置ずれしても位置ずれによって発生する白が目立たないため、黒インクのみを用いて記録することとし、黒色以外のインクを記録することによる弊害を防止することができる。
【００４２】
また、本発明の第１１の態様に係るファクシミリ装置は、第６の態様から第１０の態様のいずれかに記載のカラー記録装置を備えた。
【００４３】
この構成により、第６の態様から第１０の態様のいずれかに記載の効果を得ることができる。
【００４４】
以下、本発明の実施の形態について、図面を参照して説明する。なお、本実施の形態では、入力端子からそれぞれ入力されるシアン、マゼンタ、イエロー、及び黒信号は、２値データとして説明するが、本発明は、これに限定されない。
【００４５】
（実施の形態１）
図１は、本発明の実施の形態１に係るカラー記録装置の概略構成を示すブロック図である。図１において、本発明の実施の形態１に係るカラー記録装置は、シアン、マゼンタ、イエロー、黒の各信号を、それぞれ入力端子１０１〜１０４から入力する。この入力された各信号は、補正色発生部１０５に入力され、補正色発生部１０５は、補正色を記録するかどうかを判定するとともに、補正色を記録すると判定した場合は、その補正色を決定する。ここで、「補正色」とは、シアン、マゼンタ、イエローのいずれか一の信号であって、黒信号とともに記録される信号である。補正色発生部１０５の出力信号は、プリンタ部１０６において図示しない記録紙に記録される。
【００４６】
次に、以上のように構成された本発明の実施の形態１に係るカラー記録装置の動作について、図２を参照して説明する。
図２は、本発明の実施の形態１に係るカラー記録装置の動作フロー図である。まず、図示しない外部回路によって２値化された３原色信号、すなわち、シアン、マゼンタ、イエロー、及び黒信号が入力端子１０１〜１０４を経て、補正色発生部１０５へ入力される（ステップＡ１）。次に、補正色発生部１０５は、黒信号をチェックし（ステップＡ２）、論理「１」であれば、シアン、マゼンタ、イエローのうちのいずれか一の信号を補正色として決定する（ステップＡ３）。
【００４７】
次に、決定した補正色及び黒信号を論理「１」としてプリンタ部１０６へ出力し、プリンタ部はそれを記録する（ステップＡ４）。一方、ステップＡ２において、黒信号判定の結果が論理「０」であれば、補正色発生部１０５はステップＡ１で入力したシアン、マゼンタ、イエローの各信号をそのままプリンタ部１０６へ出力し、プリンタ部１０６はそれを記録する（ステップＡ５）。
【００４８】
このように、本発明の実施の形態１に係るカラー記録装置によれば、黒信号を記録する際に、補正色も同時に記録するため、記録紙の白色を隠蔽することができ、画質の劣化を防止することができる。すなわち、黒信号を記録する際に位置ずれが生じる場合であっても、黒ドットの位置に対しシアン、マゼンタ、イエローのいずれかのインクを印字すれば、シアン、マゼンタ、イエローを記録するためのヘッドは同一ヘッドとして構成されているため、記録位置のずれが生ずることがないことから、記録紙が露出することによる白色を隠蔽することができる。これにより、黒インクの記録位置にずれが生じても、これが目立たず、記録画像にザラツキ感が生ずることはないため、記録画像の品質劣化を防止することができる。なお、シアン、マゼンタ、イエローのいずれか１色を補正色としたのは、これらのうち２色を印字すると、黒インクも含め３色印字することとなり、滲みが発生する可能性があるためである。
【００４９】
（実施の形態２）
図３は、本発明の実施の形態２に係るカラー記録装置の概略構成を示すブロック図である。図３において、本発明の実施の形態２に係るカラー記録装置は、シアン、マゼンタ、イエロー、黒の各信号を、それぞれ入力端子３０１〜３０４から入力する。制御部３０５は、この入力された各信号に基づき、補正色を記録するかどうかを判定するとともに、補正色を記録すると判定した場合は、その補正色を決定する。この判定に際しては、メモリ部３０６が用いられる。制御部３０５の出力信号は、プリンタ部３０７において図示しない記録紙に記録される。
【００５０】
次に、以上のように構成された本発明の実施の形態２に係るカラー記録装置の動作について、図４を参照して説明する。
図４は、本発明の実施の形態２に係るカラー記録装置の動作フロー図である。図示しない外部回路によって２値化された３原色信号、すなわち、シアン信号、マゼンタ信号、イエロー信号、及び黒信号が入力端子３０１〜３０４から制御部３０５へ入力される。制御部３０５は、入力した各信号をメモリ部３０６へ格納する（ステップＢ１）。
【００５１】
次に、制御部３０５は、補正色の決定が可能であるか否かを判定する（ステップＢ２）。以下、制御部３０５が補正色を決定するまでの動作について説明する。制御部３０５は、記録対象画素の周辺画素を構成するシアン信号、マゼンタ信号、イエロー信号の論理「１」の画素を計数し、その計数の結果、計数値が最も大きい色を補正色に決定する。図５は、注目画素に対する周辺画素を示す図である。実施の形態２では、図５に示すように、記録対象画素（図５のｅ画素）の周辺画素の範囲を、上下（図５のｂ、ｈ画素）、左右（図５のｄ、ｆ画素）、及び斜め方向（図５のａ、ｉ、ｃ、ｇ画素）の８画素とする。
【００５２】
ここで、記録画像の最初の画素の信号が入力された時点では、その周辺画素は未定のため補正色の決定ができない。そこでステップＢ１へ戻り、次の画素の信号をメモリ部３０６へ格納する。補正色の決定が可能となるのは、記録画像の第２ライン目の第２番目の画素がメモリ部３０６へ格納され、周辺画素が全てそろった時である。但し、記録画素が第１ライン目の第１画素である場合は、図５においてｅ画素を記録対象画素とした場合におけるａ、ｂ、ｃ、ｄ、ｇ画素に対応する画素は存在しないので計数対象とはしない。
【００５３】
ステップＢ２において、補正色の決定が可能となると、ステップＢ３へ遷移する。制御部３０５は、第１ライン目の第１画素から順次記録対象画素をメモリ部３０６より読み出す。次に、読み出した記録対象画素の黒信号をチェックし（ステップＢ４）、論理「１」であれば、制御部３０５は、メモリ部３０６よりさらに記録対象画素の周辺画素を読み出し（ステップＢ５）、周辺画素を構成するシアン信号、マゼンタ信号、イエロー信号の各々の論理「１」の画素数を計数する（ステップＢ６）。さらに、ステップＢ７で先の計数結果を各々比較し、その最大値をとる色を補正色に決定し（ステップＢ７）、その補正色及び黒信号をプリンタ部３０７へ出力し（ステップＢ８）、プリンタ部３０７は、その信号を記録する（ステップＢ９）。
【００５４】
また、ステップＢ４において、黒信号の論理が「０」であれば、ステップＢ３で読み出した信号をそのままプリンタ部３０７へ出力し、プリンタ部３０７はこれを記録する（ステップＢ１０）。プリンタ部３０７が１ページ全ての処理を終了したか否かを判定（ステップＢ１１）、終了していなければステップＢ１からの動作を繰り返す。
【００５５】
なお、実施の形態２では、記録対象画素の周辺画素を、８画素として説明したが、本発明は、これに限定されない。
【００５６】
このように、本発明の実施の形態２に係るカラー記録装置によれば、記録対象画素の周辺画素におけるシアン、マゼンタ、イエローの画素数を計数し、この計数値が最大となる色を補正色とするため、最も目立ちにくい色を補正色として決定することができる。また、黒信号と共に記録する補正色を簡易な方法で決定することができる。
【００５７】
（実施の形態３）
図６は、本発明の実施の形態３に係るカラー記録装置の概略構成を示すブロック図である。本発明の実施の形態３に係るカラー記録装置は、上記の実施の形態２に係るカラー記録装置において、メモリ部３０６の代わりに、０、１，２、・・・のように規則的に変化する数値を出力するカウンタ部６０６を備える。実施の形態３では、カウンタ部６０６は、０以上の整数を出力するものとして説明するが、本発明は、これに限定されない。その他の構成については、実施の形態２と同様であるため、説明を省略する。
【００５８】
次に、以上のように構成された本発明の実施の形態３に係るカラー記録装置の動作について、図７及び図８を参照して説明する。
図７は、本発明の実施の形態３に係るカラー記録装置の動作フロー図である。図示しない外部回路によって２値化された３原色信号、すなわち、シアン信号、マゼンタ信号、イエロー信号、及び黒信号が入力端子３０１〜３０４から制御部３０５へ入力される（ステップＣ１）。制御部３０５は、入力信号のうち黒信号をチェックし（ステップＣ２）、論理「１」であれば、制御部３０５は、カウンタ部６０６を更新し（ステップＣ３）、そのカウント値から補正色を決定する（ステップＣ４）。
【００５９】
ここで、カウント値から補正色を決定する方法について、図８を参照して説明する。
図８は、カウンタ部６０６のカウンタ値から補正色を決定する動作フロー図である。制御部３０５は、カウンタ部６０６の値を読み出し、その３の剰余を求める（ステップＤ１）。その結果、剰余が０であれば（ステップＤ２）、補正色をシアンとする（ステップＤ３）。剰余が１であれば（ステップＤ４）、補正色をマゼンタとする（ステップＤ５）。剰余が０でも１でもなければ補正色をイエローとする（ステップＤ６）。
【００６０】
このようにして補正色が決まると、制御部３０５は、その補正色及び黒信号をプリンタ部３０７へ出力し（ステップＣ５）、プリンタ部３０７は、それを記録する（ステップＣ６）。また、ステップＣ２において、黒信号の論理が「０」であれば、ステップＣ１で入力した信号をそのままプリンタ部３０７へ出力し、プリンタ部３０７はこれを記録する（ステップＣ７）。プリンタ部３０７において、１ページ全ての処理を終了したか否かを判定（ステップＣ８）し、終了していなければステップＣ１からの動作を繰り返す。
【００６１】
このように、本発明の実施の形態３に係るカラー記録装置によれば、このカウンタ値に対する３の剰余を求め、この剰余に対応した色を補正色とするため、黒信号と共に記録する補正色をより簡易な方法で決定することができる。また、ある面積で見れば補正色の出現頻度は平均化され黒になる。
【００６２】
（実施の形態４）
図９は、本発明の実施の形態４に係るカラー記録装置の概略構成を示すブロック図である。本発明の実施の形態４に係るカラー記録装置は、実施の形態２におけるメモリ部３０６の代わりに、乱数を発生する乱数発生部９０６を備える。その他の構成は実施の形態２と同様であるため、説明を省略する。
【００６３】
次に、以上のように構成された本発明の実施の形態４に係るカラー記録装置の動作について説明する。
図１０は、本発明の実施の形態４に係るカラー記録装置の動作フロー図である。図示しない外部回路によって２値化された３原色信号、すなわち、シアン信号、マゼンタ信号、イエロー信号、及び黒信号が入力端子３０１〜３０４から制御部３０５へ入力される（ステップＥ１）。制御部３０５は、入力信号のうち黒信号をチェックし（ステップＥ２）、論理「１」であれば、制御部３０５は、乱数発生部９０６を起動し（ステップＥ３）、その乱数値から補正色を決定する（ステップＥ４）。
【００６４】
ここで、制御部３０５が乱数値から補正色を決定するまでの動作について、図１１を参照して説明する。
図１１は、本発明の実施の形態４に係るカラー記録装置が乱数値から補正色を決定する動作フロー図である。制御部３０５は、乱数発生部９０６の値を読み出し、その３の剰余を求める（ステップＦ１）。剰余が０であれば（ステップＦ２）、補正色をシアンとする（ステップＦ３）。剰余が１であれば（ステップＦ４）、補正色をマゼンタとする（ステップＦ５）。剰余が０でも１でもなければ補正色をイエローとする（ステップＦ６）。
【００６５】
このように補正色が決まると、制御部３０５は、その補正色及び黒信号をプリンタ部３０７へ出力し（ステップＥ５）、プリンタ部３０７は、それを記録する（ステップＥ６）。また、ステップＥ２において、黒信号の論理が「０」であれば、ステップＥ１で入力した信号をそのままプリンタ部３０７へ出力し、プリンタ部３０７は、これを記録する（ステップＥ７）。その後プリンタ部３０７が１ページ全ての処理を終了したか否かを判定（ステップＥ８）し、終了していなければステップＥ１からの動作を繰り返す。
【００６６】
このように、本発明の実施の形態４に係るカラー記録装置によれば、乱数発生部９０６が発生する乱数値に対する３の剰余を求め、この剰余に対応した色を補正色とするため、黒信号と共に記録する補正色をより簡易な方法で決定することができる。また、ある面積で見れば補正色の出現頻度は平均化され黒になる。
【００６７】
（実施の形態５）
図１２は、本発明の実施の形態５に係るカラー記録装置の概略構成を示すブロック図である。本発明の実施の形態５に係るカラー記録装置は、実施の形態２に係るカラー記録装置に、０、１，２、・・・のように規則的に変化する数値を出力するカウンタ部１２０１を追加した構成を採る。実施の形態５では、カウンタ部１２０１は、０以上の整数を出力するものとして説明するが、本発明は、これに限定されない。その他の構成については実施の形態２と同様であるため、説明を省略する。
【００６８】
次に、以上のように構成された本発明の実施の形態５に係るカラー記録装置の動作について、図１３を参照して説明する。
図１３は、本発明の実施の形態５に係るカラー記録装置の動作フロー図である。図示しない外部回路によって２値化された３原色信号、すなわち、シアン信号、マゼンタ信号、イエロー信号、及び黒信号が入力端子３０１〜３０４から制御部３０５へ入力される。制御部３０５は、入力した各信号をメモリ部３０６に格納する（ステップＧ１）。
【００６９】
次に、制御部３０５は、補正色の決定が可能であるか否かを判定する（ステップＧ２）。以下、制御部３０５が補正色を決定するまでの動作について説明する。制御部３０５は、記録対象画素の周辺画素を構成するシアン信号、マゼンタ信号、イエロー信号の論理「１」の画素を計数し、その計数の結果、計数値が最も大きい色を補正色に決定する。図５は、注目画素に対する周辺画素を示す図である。実施の形態５では、図５に示すように、記録対象画素（図５のｅ画素）の周辺画素の範囲を、上下（図５のｂ、ｈ画素）、左右（図５のｄ、ｆ画素）、及び斜め方向（図５のａ、ｉ、ｃ、ｇ画素）の８画素とする。
【００７０】
ここで、記録画像の最初の画素の信号が入力された時点では、その周辺画素は未定のため補正色の決定ができない。そこでステップＧ１へ戻り、次の画素の信号をメモリ部３０６へ格納する。補正色の決定が可能となるのは、記録画像の第２ライン目の第２番目の画素がメモリ部３０６へ格納され、周辺画素が全てそろった時である。但し、記録画素が第１ライン目の第１画素である場合は、図５においてｅ画素を記録対象画素とした場合におけるａ、ｂ、ｃ、ｄ、ｇ画素に対応する画素は存在しないので計数対象とはしない。
【００７１】
ステップＧ２において、補正色の決定が可能となるとステップＧ３へ遷移する。制御部３０５は、第１ライン目の第１画素から順次記録対象画素をメモリ部３０６から読み出す。次に、読み出した記録対象画素の黒信号をチェックし（ステップＧ４）、論理「１」であれば、制御部３０５は、メモリ部３０６からさらに記録対象画素の周辺画素を読み出し（ステップＧ５）、周辺画素を構成するシアン信号、マゼンタ信号、イエロー信号の各々の論理「１」の画素数を計数する（ステップＧ６）。さらに、ステップＧ７で先の計数結果を各々比較し、その最大値を検出する（ステップＧ７）。この時最大値をとる色が１色であれば（ステップＧ８）、その色を補正色とする（ステップＧ９）。
【００７２】
一方、ステップＧ８において、最大値をとる色が複数ある場合にはステップＧ８からステップＧ１０へ遷移し、カウンタ部１２０１を更新し（ステップＧ１０）、そのカウント値から、実施の形態３の場合と同様に、補正色を決定する（ステップＧ１１）。補正色が決定すると、制御部３０５は、その補正色及び黒信号をプリンタ部３０７へ出力し（ステップＧ１２）、プリンタ部３０７は、これを記録する（ステップＧ１３）。
【００７３】
また、ステップＧ４において、黒信号の論理が「０」であれば、ステップＧ３で読み出した信号をそのままプリンタ部３０７へ出力し、プリンタ部３０７はこれを記録する（ステップＧ１４）。プリンタ部３０７が１ページ全ての処理を終了したか否かを判定（ステップＧ１５）し、終了していなければステップＧ１からの動作を繰り返す。
【００７４】
このように、本発明の実施の形態５に係るカラー記録装置によれば、記録対象画素の周辺画素におけるシアン、マゼンタ、イエローの画素数を計数し、この計数値が最大となる色を補正色とするため、黒信号と共に記録する補正色を簡易な方法で決定することができる。また、計数値が最大となる色が複数ある場合は、カウンタ値を用いて補正色を決定することができるため、黒信号と共に記録する補正色をより簡易な方法で決定することができる。また、ある面積で見れば補正色の出現頻度は平均化され黒になる。
【００７５】
（実施の形態６）
図１４は、本発明の実施の形態６に係るカラー記録装置の概略構成を示すブロック図である。本発明の実施の形態６に係るカラー記録装置は、実施の形態５におけるカウンタ部１２０１の代わりに、乱数を発生する乱数発生部１４０１を備えている。その他の構成については実施の形態５と同様であるため、説明を省略する。
【００７６】
次に、以上のように構成された本発明の実施の形態６に係るカラー記録装置の動作について、図１５を参照して説明する。
図１５は、本発明の実施の形態６に係るカラー記録装置の動作フロー図である。図示しない外部回路によって２値化された３原色信号、すなわち、シアン信号、マゼンタ信号、イエロー信号、及び黒信号が入力端子３０１〜３０４から制御部３０５へ入力される。制御部３０５は、入力した各信号をメモリ部３０６に格納する（ステップＨ１）。
【００７７】
次に、制御部３０５は、補正色の決定が可能であるか否かを判定する（ステップＨ２）。以下、制御部３０５が補正色を決定するまでの動作について説明する。制御部３０５は、記録対象画素の周辺画素を構成するシアン信号、マゼンタ信号、イエロー信号の論理「１」の画素を計数し、その計数の結果、計数値が最も大きい色を補正色に決定する。図５は、注目画素に対する周辺画素を示す図である。実施の形態６では、図５に示すように、記録対象画素（図５のｅ画素）の周辺画素の範囲を、上下（図５のｂ、ｈ画素）、左右（図５のｄ、ｆ画素）、及び斜め方向（図５のａ、ｉ、ｃ、ｇ画素）の８画素とする。
【００７８】
ここで、記録画像の最初の画素の信号が入力された時点では、その周辺画素は未定のため補正色の決定ができない。そこでステップＨ１へ戻り、次の画素の信号をメモリ部３０６へ格納する。補正色の決定が可能となるのは、記録画像の第２ライン目の第２番目の画素がメモリ部３０６へ格納され、周辺画素が全てそろった時である。但し、記録画素が第１ライン目の第１画素である場合は、図５においてｅ画素を記録対象画素とした場合におけるａ、ｂ、ｃ、ｄ、ｇ画素に対応する画素は存在しないので計数対象とはしない。
【００７９】
ステップＨ２において、補正色の決定が可能となると、ステップＨ３へ遷移する。制御部３０５は、第１ライン目の第１画素から順次記録対象画素をメモリ部３０６から読み出す。次に、読み出した記録対象画素の黒信号をチェックし（ステップＨ４）、論理「１」であれば、制御部３０５は、メモリ部３０６からさらに記録対象画素の周辺画素を読み出し（ステップＨ５）、周辺画素を構成するシアン信号、マゼンタ信号、イエロー信号の各々の論理「１」の画素数を計数する（ステップＨ６）。さらに、ステップＨ７において、先の計数結果を各々比較し、その最大値を検出する（ステップＨ７）。この時、最大値をとる色が１色であれば（ステップＨ８）、その色を補正色とする（ステップＨ９）。
【００８０】
一方、最大値をとる色が複数ある場合には、ステップＨ８からステップＨ１０へ遷移し、乱数発生部１４０１を起動し（ステップＨ１０）、その乱数値から、実施の形態４と同様に、補正色を決定する（ステップＨ１１）。補正色が決まると、制御部３０５は、その補正色及び黒信号をプリンタ部３０７へ出力し（ステップＨ１２）、プリンタ部３０７は、これを記録する（ステップＨ１３）。
【００８１】
また、ステップＨ４において、黒信号の論理が「０」であれば、ステップＨ３で読み出した信号をそのままプリンタ部３０７へ出力し、プリンタ部３０７は、これを記録する（ステップＨ１４）。プリンタ部３０７が１ページ全ての処理を終了したか否かを判定（ステップＨ１５）し、終了していなければステップＨ１からの動作を繰り返す。
【００８２】
このように、本発明の実施の形態６に係るカラー記録装置によれば、記録対象画素の周辺画素におけるシアン、マゼンタ、イエローの画素数を計数し、この計数値が最大となる色を補正色とするため、黒信号と共に記録する補正色を簡易な方法で決定することができる。また、計数値が最大となる色が複数ある場合は、乱数発生部１４０１が発生する乱数値を用いて補正色を決定することができるため、黒信号と共に記録する補正色をより簡易な方法で決定することができる。また、ある面積で見れば補正色の出現頻度は平均化され黒になる。
【００８３】
（実施の形態７）
図１６は、本発明の実施の形態７に係るカラー記録装置の概略構成を示すブロック図である。本発明の実施の形態７に係るカラー記録装置は、実施の形態１に係るカラー記録装置に、所定条件の下で、補正色発生部１０５が補正色を発生する動作を禁じる信号を出力する補正禁止信号部１６０１を追加した構成を採る。その他の構成については実施の形態１と同様であるため、説明を省略する。
【００８４】
次に、以上のように構成された本発明の実施の形態７に係るカラー記録装置の動作について、図１７を参照して説明する。
図１７は、本発明の実施の形態７に係るカラー記録装置の動作フロー図である。図示しない外部回路によって２値化された３原色信号、すなわち、シアン信号、マゼンタ信号、イエロー信号、及び黒信号が入力端子１０１〜１０４から補正色発生部１０５へ入力される（ステップＩ１）。補正色発生部１０５は、黒信号をチェックし（ステップＩ２）、論理「１」であれば補正色を決定する（ステップＩ３）。
【００８５】
一方、補正色の決定と並行して、補正禁止信号部１６０１が補正禁止条件の検出を行う（ステップＩ４）。次に、補正色発生部１０５は、補正禁止条件の有無をチェックし（ステップＩ５）、補正禁止条件がなければ、ステップＩ３において決定した補正色及び黒信号を論理「１」としてプリンタ部１０６へ出力し、プリンタ部１０６は、それを記録する（ステップＩ６）。また、補正禁止条件が成立していれば補正色発生部１０５は、ステップＩ１で取り込んだシアン信号、マゼンタ信号、イエロー信号、及び黒信号をそのままプリンタ部１０６へ出力し、プリンタ部１０６はそれを記録する（ステップＩ７）。
【００８６】
また、ステップＩ２において、黒信号判定の結果が論理「０」であれば、補正色発生部１０５は、ステップＩ１で取り込んだシアン信号、マゼンタ信号、イエロー信号をそのままプリンタ部１０６へ出力し、プリンタ部１０６はそれを記録する（ステップＩ７）。
【００８７】
このように、本発明の実施の形態７に係るカラー記録装置によれば、画像の条件に応じて補正色を記録すべきかどうかを判断し、補正色を記録した方が良い場合のみ、補正色を記録するよう制御するため、記録画像の品質劣化を防止することができる。例えば、黒のみのテキスト画像などのように、周りにシアン、マゼンタ、イエローの印字が無い部分における黒孤立ドットや黒線等は、位置ずれが発生しても目立たないため、位置ずれが発生した際に常に補正色を印字すると、この補正色が却って目立ってしまう。また、黒インクのみで記録される黒のべた画像は、位置ずれしても目立たないため、そもそも補正色の記録は不要である。この場合、補正色を記録するとインクが無駄となり、記録条件によっては滲みの原因になりかねない。そこで、実施の形態７では、条件によって補正色の印字を禁止して記録させることとし、画質の劣化防止を図った。
【００８８】
（実施の形態８）
本発明の実施の形態８に係るカラー記録装置は、図３に示す実施の形態２に係るカラー記録装置と同様の構成を採り、動作のみが異なる。以下、本発明の実施の形態８に係るカラー記録装置の動作について、図１８を参照して説明する。
【００８９】
図１８は、本発明の実施の形態８に係るカラー記録装置の動作フロー図である。図示しない外部回路によって２値化された３原色信号、すなわち、シアン信号、マゼンタ信号、イエロー信号、及び黒信号が入力端子３０１〜３０４から制御部３０５へ入力される。制御部３０５は、入力した各信号をメモリ部３０６へ格納する（ステップＪ１）。
【００９０】
次に、制御部３０５は、補正色の決定が可能であるか否かを判定する（ステップＪ２）。以下、制御部３０５が補正色を決定するまでの動作について説明する。制御部３０５は、記録対象画素の周辺画素を構成するシアン信号、マゼンタ信号、イエロー信号の論理「１」の画素を計数し、その計数の結果、計数値が最も大きい色を補正色に決定する。図５は、注目画素に対する周辺画素を示す図である。実施の形態８では、図５に示すように、記録対象画素（図５のｅ画素）の周辺画素の範囲を、上下（図５のｂ、ｈ画素）、左右（図５のｄ、ｆ画素）、及び斜め方向（図５のａ、ｉ、ｃ、ｇ画素）の８画素とする。
【００９１】
ここで、記録画像の最初の画素の信号が入力された時点では、その周辺画素は未定のため補正色の決定ができない。そこでステップＪ１へ戻り、次の画素の信号をメモリ部３０６へ格納する。補正色の決定が可能となるのは、記録画像の第２ライン目の第２番目の画素がメモリ部３０６へ格納され、周辺画素が全てそろった時である。但し、記録画素が第１ライン目の第１画素である場合は、図５においてｅ画素を記録対象画素とした場合におけるａ、ｂ、ｃ、ｄ、ｇ画素に対応する画素は存在しないので計数対象とはしない。
【００９２】
次に、制御部３０５は、補正禁止条件の判定が可能か否かを判定する（ステップＪ３）。補正禁止条件の判定は、後述するように、記録対象画素の周辺画素を構成する信号の状況に基づいて行われる。実施の形態８においては、周辺画素の範囲を補正色決定と同じく、記録対象画素の上下、左右、及び斜め方向の８画素とする。
【００９３】
記録画像の最初の画素の信号が入力された時点では、その周辺画素は未定のため補正禁止条件の判定はできない。実施の形態８では、周辺画素の範囲を補正色の決定時と同一にとっているため、補正禁止条件の判定可の条件も補正色の決定可能となる条件と同一である。すなわち、記録画像の第２ライン目の第２番目の画素がメモリ部３０６へ格納され、周辺画素が全てそろった時である。但し、記録画素が第１ライン目の第１画素である場合は、図５においてｅ画素を記録対象画素とした場合におけるａ、ｂ、ｃ、ｄ、ｇ画素に対応する画素は存在しないので計数対象とはしない。
【００９４】
ステップＪ３において、補正禁止条件の判定が可能となると、ステップＪ４へ遷移し、制御部３０５は、第１ライン目の第１画素から順次記録対象画素をメモリ部３０６より読み出す（ステップＪ４）。次に、読み出した記録対象画素の黒信号をチェックし（ステップＪ５）、論理「１」であれば、制御部３０５は、メモリ部３０６よりさらに記録対象画素の周辺画素を読み出し（ステップＪ６）、周辺画素を構成するシアン信号、マゼンタ信号、イエロー信号の各々の論理「１」の画素数を計数する（ステップＪ７）。さらにステップＪ８で先の計数結果を各々比較し、その最大値をとる色を補正色と決定する（ステップＪ８）。
【００９５】
一方、この補正色決定の動作と並行し、補正禁止条件の判定を行う（ステップＪ９）。ステップＪ９の詳細な内容については後述する。
【００９６】
制御部３０５は、ステップＪ９において補正禁止が不成立と判定した場合には、ステップＪ１０からステップＪ１１へ遷移し、ステップＪ１１においてステップＪ８で決定した補正色及び黒信号をプリンタ部３０７へ出力し、プリンタ部３０７は、これを記録する（ステップＪ１２）。また、ステップＪ９において、補正禁止と判定した場合は、ステップＪ１０からステップＪ１３へ遷移し、ステップＪ４で読み出した記録対象画素の信号をそのままプリンタ部３０７へ出力し、プリンタ部３０７は、これを記録する（ステップＪ１３）。
【００９７】
また、ステップＪ５において、黒信号の論理が「０」であれば、ステップＪ４で読み出した信号をそのままプリンタ部３０７へ出力し、プリンタ部３０７は、これを記録する（ステップＪ１３）。その後、プリンタ部３０７が１ページ全ての処理を終了したか否かを判定し（ステップＪ１４）、終了していなければステップＪ１からの動作を繰り返す。
【００９８】
次に、ステップＪ９における補正禁止条件の検出動作について、図１９を参照して説明する。なお、補正色決定の周辺画素範囲と、禁止条件決定の周辺画素範囲は、同一である必要はない。この点について、以下、同様とする。
【００９９】
図１９は、本発明の実施の形態８に係るカラー記録装置の補正禁止条件を判定する第一の動作フロー図である。ここでは、記録対象画素の周辺画素を構成する黒信号の論理「１」の画素数を計数し、その値が所定値以上のとき、補正を禁止し、所定値未満であれは補正を行う。まず、記録対象画素の周辺画素をメモリ部３０６から読み出し（ステップＫ１）、この読み出した周辺画素から黒信号が論理「１」の画素数を計数し（ステップＫ２）、その計数値が所定値以上か否かを判定する（ステップＫ３）。計数値が所定値以上であれば補正を禁止（ステップＫ４）し、補正禁止の条件が不成立であれば補正を行う（補正禁止解除）（ステップＫ５）。
【０１００】
図２０は、本発明の実施の形態８に係るカラー記録装置の補正禁止条件を判定する第二の動作フロー図である。ここでは、記録対象画素の周辺画素を構成する非印字画素、すなわち、シアン、マゼンタ、イエロー及び黒がいずれも記録されていない画素の数を計数し、その値が所定値以上のとき、補正を禁止し、所定値未満であれは補正を行う。記録対象画素の周辺画素をメモリ部３０６より読み出し（ステップＬ１）、この読み出した周辺画素から非印字画素数を計数し（ステップＬ２）、その計数値が所定値以上か否かを判定する（ステップＬ３）。計数値が所定値以上であれば補正を禁止し（ステップＬ４）、補正禁止の条件が不成立であれば補正を行う（補正禁止解除）（ステップＬ５）。
【０１０１】
図２１は、本発明の実施の形態８に係るカラー記録装置の補正禁止条件を判定する第三の動作フロー図である。ここでは、記録対象画素の周辺画素のうちシアン信号、マゼンタ信号、イエロー信号のいずれか一つ以上が論理「１」である画素数を計数し、その値が所定値以下のとき、補正色を禁止する。記録対象画素の周辺画素をメモリ部３０６より読み出し（ステップＭ１）、この読み出した周辺画素からシアン信号、マゼンタ信号、イエロー信号のいずれか一つ以上が論理「１」の画素数を計数し（ステップＭ２）、その計数値が所定値以下か否かを判定する（ステップＭ３）。計数値が所定値以下であれば補正を禁止し（ステップＭ４）、補正禁止の条件が不成立であれば補正を行う（補正禁止解除）（ステップＭ５）。
【０１０２】
図２２は、本発明の実施の形態８に係るカラー記録装置の補正禁止条件を判定する第四の動作フロー図である。ここでは、上記第一〜第三のいずれかの動作フロー図において、補正禁止の条件が成立した場合に補正を禁止し、上記第一〜第三の動作フロー図で、全てで補正禁止の条件が成立しない場合に補正を行う。
【０１０３】
すなわち、記録対象画素の周辺画素をメモリ部３０６より読み出し（ステップＮ１）、この読み出した周辺画素から黒信号が論理「１」の画素数を計数し（ステップＮ２）、その計数値が所定値以上か否かを判定する（ステップＮ３）。計数値が所定値以上であれば補正を禁止し（ステップＮ４）、補正禁止の条件が不成立であれば、次の条件をチェックする。すなわち、周辺画素から非印字画素数を計数し（ステップＮ５）、その計数値が所定値以上か否かを判定する（ステップＮ６）。計数値が所定値以上であれば補正を禁止し（ステップＮ４）、補正禁止の条件が不成立であれば次の条件をチェックする。すなわち、周辺画素からシアン信号、マゼンタ信号、イエロー信号のいずれか一つ以上が論理「１」である画素数を計数し（ステップＮ７）、その計数値が所定値以下か否かを判定する（ステップＮ８）。計数値が所定値以下であれば補正を禁止し（ステップＮ４）、補正禁止の条件が不成立であれば補正を行う（補正禁止解除）（ステップＮ９）。
【０１０４】
このように、本発明の実施の形態８に係るカラー記録装置によれば、画像の条件に応じて補正色を記録すべきかどうかを判断し、補正色を記録した方が良い場合のみ、補正色を記録するよう制御するため、記録画像の品質劣化を防止することができる。例えば、黒べた画像の場合や、非印字画素が多い場合は、補正色の記録を禁止する。一方、周辺画素にシアン、マゼンタ、イエローの画素が多い場合等は、補正禁止を解除して補正色を記録する。
【０１０５】
（実施の形態９）
本発明の実施の形態９に係るカラー記録装置は、図１２に示す実施の形態５に係るカラー記録装置と同様の構成を採り、動作のみが異なる。以下、本発明の実施の形態９に係るカラー記録装置の動作について、図２３を参照して説明する。
【０１０６】
図２３は、本発明の実施の形態９に係るカラー記録装置の動作フロー図である。図示しない外部回路によって２値化された３原色信号、すなわち、シアン信号、マゼンタ信号、イエロー信号、及び黒信号が入力端子３０１〜３０４から制御部３０５へ入力される。制御部３０５は、入力した各信号をメモリ部３０６に格納する（ステップＯ１）。
【０１０７】
次に、制御部３０５は、補正禁止条件の判定が可能か否かを判定する（ステップＯ２）。補正禁止条件の判定は、後述するように、記録対象画素の周辺画素を構成する信号の状況に基づいて行う。実施の形態９では、周辺画素の範囲を記録対象画素の上下、左右、及び斜め方向の８画素とする。記録画像の最初の画素の信号が入力された時点では、その周辺画素は未定のため補正禁止条件の判定はできない。補正禁止条件の判定が可能となるのは、記録画像の第２ライン目の第２番目の画素がメモリ部６へ格納され、周辺画素が全てそろった時である。但し、記録画素が第１ライン目の第１画素である場合は、図５においてｅ画素を記録対象画素とした場合におけるａ、ｂ、ｃ、ｄ、ｇ画素に対応する画素は存在しないので計数対象とはしない。
【０１０８】
ステップＯ２において、補正禁止条件の判定が可能となると、ステップＯ３へ遷移し、制御部３０５は、第１ライン目の第１画素から順次記録対象画素をメモリ部３０６より読み出す。次に、読み出した記録対象画素の黒信号をチェックし（ステップＯ４）、論理「１」であれば、制御部３０５は、カウンタ部３０６を更新し（ステップＯ５）、そのカウント値から補正色を決定する（ステップＯ６）。
【０１０９】
カウント値から補正色を決定する方法については、実施の形態３と同様であるため、説明を省略する。
【０１１０】
一方、この補正色決定の動作と並行し、補正禁止条件の判定を行う（ステップＯ７）。このステップＯ７の詳細な内容については、実施の形態８と同様であるため、説明を省略する。
【０１１１】
制御部３０５は、ステップＯ７で補正禁止が不成立と判定した場合には、ステップＯ８からステップＯ９へ遷移し、ステップＯ６において決定した補正色及び黒信号をプリンタ部３０７へ出力し、プリンタ部３０７は、これを記録する（ステップＯ１０）。また、ステップＯ７で補正禁止と判定した場合にはステップＯ８からステップＯ１１へ遷移し、プリンタ部３０７へステップＯ３で読み出した記録対象画素の信号をそのままプリンタ部３０７へ出力し、プリンタ部３０７は、これを記録する（ステップＯ１１）。
【０１１２】
また、ステップＯ４において、黒信号の論理が「０」であれば、ステップＯ３で読み出した信号をそのままプリンタ部３０７へ出力し、プリンタ部３０７はこれを記録する（ステップＯ１１）。その後、プリンタ部３０７が１ページ全ての処理を終了したか否かを判定（ステップＯ１２）し、終了していなければステップＯ１からの動作を繰り返す。
【０１１３】
このように、本発明の実施の形態９に係るカラー記録装置によれば、画像の条件に応じて補正色を記録すべきかどうかを判断し、補正色を記録した方が良い場合のみ、補正色を記録するよう制御するため、記録画像の品質劣化を防止することができる。特に、カウンタ値を用いて補正色を決定することができるため、黒信号と共に記録する補正色をより簡易な方法で決定することができる。また、ある面積で見れば補正色の出現頻度は平均化され黒になる。
【０１１４】
（実施の形態１０）
本発明の実施の形態１０に係るカラー記録装置は、図１４に示す実施の形態６に係るカラー記録装置と同様の構成を採り、動作のみが異なる。以下、本発明の実施の形態１０に係るカラー記録装置の動作について、図２４を参照して説明する。
【０１１５】
図２４は、本発明の実施の形態１０に係るカラー記録装置の動作フロー図である。図示しない外部回路によって２値化された３原色信号、すなわち、シアン信号、マゼンタ信号、イエロー信号、及び黒信号が入力端子３０１〜３０４から制御部３０５へ入力される。制御部３０５は、入力した各信号をメモリ部３０６に格納する（ステップＰ１）。
【０１１６】
次に、制御部３０５は、補正禁止条件の判定が可能か否かを判定する（ステップＰ２）。補正禁止条件の判定は、後述するように、記録対象画素の周辺画素を構成する信号の状況に基づいて行う。実施の形態１０では、周辺画素の範囲を記録対象画素の上下、左右、及び斜め方向の８画素とする。記録画像の最初の画素の信号が入力された時点では、その周辺画素は未定のため補正禁止条件の判定はできない。補正禁止条件の判定が可能となるのは、記録画像の第２ライン目の第２番目の画素がメモリ部６へ格納され、周辺画素が全てそろった時である。但し、第１ライン目の第１画素であるから、図５に示すａ、ｂ、ｃ、ｄ、ｇ画素は存在しないので判定対象とはしない。
【０１１７】
ステップＰ２において、補正禁止条件の判定が可能となるとステップＰ３へ遷移し、制御部３０５は、第１ライン目の第１画素から順次記録対象画素をメモリ部３０６より読み出す。次に、読み出した記録対象画素の黒信号をチェックし（ステップＰ４）、論理「１」であれば、制御部３０５は、乱数発生部１４０１を起動し（ステップＰ５）、その乱数値から補正色を決定する（ステップＰ６）。なお、乱数値から補正色を決定する方法については実施の形態４と同様であるため、説明を省略する。
【０１１８】
この補正色決定の動作と並行し、補正禁止条件の判定を行う（ステップＰ７）。ステップＰ７の詳細な内容については、実施の形態８と同様であるため、説明を省略する。
【０１１９】
制御部３０５は、ステップＰ７で補正禁止が不成立と判定した場合にはステップＰ８からステップＰ９へ遷移し、ステップＰ６で決めた補正色及び黒信号をプリンタ部３０７へ出力し、プリンタ部３０７はこれを記録する（ステップＰ１０）。また、ステップＰ７で補正禁止と判定した場合には、ステップＰ８からステップＰ１１へ遷移し、ステップＰ３で読み出した記録対象画素の信号をそのままプリンタ部３０７へ出力し、プリンタ部３０７は、これを記録する（ステップＰ１１）。
【０１２０】
また、ステップＰ４において、黒信号の論理が「０」であれば、ステップＰ３で読み出した信号をそのままプリンタ部３０７へ出力し、プリンタ部３０７は、これを記録する（ステップＰ１１）。その後、プリンタ部３０７が１ページ全ての処理を終了したか否かを判定し（ステップＰ１２）、終了していなければステップＰ１からの動作を繰り返す。
【０１２１】
このように、本発明の実施の形態１０に係るカラー記録装置によれば、画像の条件に応じて補正色を記録すべきかどうかを判断し、補正色を記録した方が良い場合のみ、補正色を記録するよう制御するため、記録画像の品質劣化を防止することができる。特に、乱数値を用いて補正色を決定することができるため、黒信号と共に記録する補正色をより簡易な方法で決定することができる。また、ある面積で見れば補正色の出現頻度は平均化され黒になる。
【０１２２】
（実施の形態１１）
本発明の実施の形態１１に係るカラー記録装置は、図１２に示す実施の形態５に係るカラー記録装置と同様の構成を採り、動作のみが異なる。以下、本発明の実施の形態１１に係るカラー記録装置の動作について、図２５を参照して説明する。
【０１２３】
図２５は、本発明の実施の形態１１に係るカラー記録装置の動作フロー図である。図示しない外部回路によって２値化された３原色信号、すなわち、シアン信号、マゼンタ信号、イエロー信号、及び黒信号が入力端子３０１〜３０４から制御部３０５へ入力される。制御部３０５は、入力した各信号をメモリ部３０６に格納する（ステップＱ１）。
【０１２４】
次に、制御部３０５は、補正色の決定が可能か否かを判定する（ステップＱ２）。補正色は、記録対象画素の周辺画素を構成するシアン信号、マゼンタ信号、イエロー信号の論理「１」の画素数を計数し、その計数値が最大である色を補正色とする。実施の形態１１では、周辺画素の範囲を図５に示すように記録対象画素（図５のｅ画素）の上下（図５のｂ、ｈ画素）、左右（図５のｄ、ｆ画素）、及び斜め方向（図５のａ、ｉ、ｃ、ｇ画素）の８画素とする。
【０１２５】
ここで、記録画像の最初の画素の信号が入力された時点では、その周辺画素は未定のため補正色の決定ができない。そこで、ステップＱ１へ戻り、次の画素の信号をメモリ部３０６へ格納する。補正色の決定が可能となるのは、記録画像の第２ライン目の第２番目の画素がメモリ部３０６へ格納され、周辺画素が全てそろった時である。但し、第１ライン目の第１画素であるから、図５のａ、ｂ、ｃ、ｄ、ｇ画素は存在しないので計数対象とはしない。
【０１２６】
次に、制御部３０５は、補正禁止条件の判定が可能か否かを判定する（ステップＱ３）。補正禁止条件の判定は、後述するように、記録対象画素の周辺画素を構成する信号の状況に基づいて行う。実施の形態１１では、周辺画素の範囲を補正色決定と同じく記録対象画素の上下、左右、及び斜め方向の８画素とする。記録画像の最初の画素の信号が入力された時点では、その周辺画素は未定のため補正禁止条件の判定はできない。実施の形態１１では、周辺画素の範囲を補正色の決定時と同一にとっているため、補正禁止条件の判定可の条件も補正色の決定が可となる条件と同一である。すなわち、記録画像の第２ライン目の第２番目の画素がメモリ部３０６へ格納され、周辺画素が全てそろった時である。但し、第１ライン目の第１画素であるから、図５のａ、ｂ、ｃ、ｄ、ｇ画素は存在しないので判定対象とはしない。
【０１２７】
ステップＱ３において、補正禁止条件の判定が可能となるとステップＱ４へ遷移し、制御部３０５は、第１ライン目の第１画素から順次記録対象画素をメモリ部３０６から読み出す。次に、読み出した記録対象画素の黒信号をチェックし（ステップＱ５）、論理「１」であれば、制御部３０５は、メモリ部３０６よりさらに記録対象画素の周辺画素を読み出し（ステップＱ６）、周辺画素を構成するシアン信号、マゼンタ信号、イエロー信号の各々の論理「１」の画素数を計数し（ステップＱ７）、この計数結果を各々比較し、最大値を検出する（ステップＱ８）。この時最大値をとる色が１色であれば（ステップＱ９）、その色を補正色とする（ステップＱ１０）。
【０１２８】
しかし、最大値をとる色が複数ある場合にはステップＱ９からステップＱ１１へ遷移し、カウンタ部１２０１を更新し（ステップＱ１１）、そのカウント値から実施の形態３と同様に補正色を決定する（ステップＱ１２）。
【０１２９】
この補正色決定の動作と並行し、補正禁止条件の判定を行う（ステップＱ１３）。ステップＱ１３の詳細な内容については、実施の形態８と同様であるため、説明を省略する。
【０１３０】
制御部３０５は、ステップＱ１３において補正禁止が不成立と判定した場合にはステップＱ１４からステップＱ１５へ遷移し、ステップＱ１０またはステップＱ１２で決定した補正色及び黒信号をプリンタ部３０７へ出力し（ステップＱ１５）、プリンタ部３０７は、これを記録する（ステップＱ１６）。また、ステップＱ１３において補正禁止と判定した場合には、ステップＱ１４からステップＱ１７へ遷移し、ステップＱ４で読み出した記録対象画素の信号をそのままプリンタ部３０７へ出力し、プリンタ部３０７は、これを記録する（ステップＱ１７）。
【０１３１】
また、ステップＱ５において黒信号の論理が「０」であれば、ステップＱ４で読み出した信号をそのままプリンタ部３０７へ出力し、プリンタ部３０７は、これを記録する（ステップＱ１７）。その後、プリンタ部３０７が１ページ全ての処理を終了したか否かを判定し（ステップＱ１８）、終了していなければステップＱ１からの動作を繰り返す。
【０１３２】
このように、本発明の実施の形態１１に係るカラー記録装置によれば、画像の条件に応じて補正色を記録すべきかどうかを判断し、補正色を記録した方が良い場合のみ、補正色を記録するよう制御するため、記録画像の品質劣化を防止することができる。特に、カウンタ値を用いて補正色を決定することができるため、黒信号と共に記録する補正色をより簡易な方法で決定することができる。また、ある面積で見れば補正色の出現頻度は平均化され黒になる。
【０１３３】
（実施の形態１２）
本発明の実施の形態１２に係るカラー記録装置は、図１４に示す実施の形態６に係るカラー記録装置と同様の構成を採り、動作のみが異なる。以下、本発明の実施の形態１２に係るカラー記録装置の動作について、図２６を参照して説明する。
【０１３４】
図２６は、本発明の実施の形態１２に係るカラー記録装置の動作フロー図である。図示しない外部回路によって２値化された３原色信号、すなわち、シアン信号、マゼンタ信号、イエロー信号、及び黒信号が入力端子３０１〜３０４から制御部３０５へ入力される。制御部３０５は、入力した各信号をメモリ部３０６に格納する（ステップＲ１）。
【０１３５】
次に、制御部３０５は、補正色の決定が可能か否かを判定する（ステップＲ２）。補正色は、記録対象画素の周辺画素を構成するシアン信号、マゼンタ信号、イエロー信号の論理「１」の画素数を計数し、その計数値が最大となる色を補正色とする。実施の形態１２では、周辺画素の範囲を図５に示すように記録対象画素（図５のｅ画素）の上下（図５のｂ、ｈ画素）、左右（図５のｄ、ｆ画素）、及び斜め方向（図５のａ、ｉ、ｃ、ｇ画素）の８画素とする。
【０１３６】
ここで、記録画像の最初の画素の信号が入力された時点では、その周辺画素は未定のため補正色の決定ができない。そこでステップＲ１へ戻り、次の画素の信号をメモリ部３０６へ格納する。補正色の決定が可能となるのは、記録画像の第２ライン目の第２番目の画素がメモリ部３０６へ格納され、周辺画素が全てそろった時である。但し、記録画素が第１ライン目の第１画素である場合は、図５においてｅ画素を記録対象画素とした場合におけるａ、ｂ、ｃ、ｄ、ｇ画素に対応する画素は存在しないので計数対象とはしない。
【０１３７】
次に、制御部３０５は、補正禁止条件の判定が可能か否かを判定する（ステップＲ３）。補正禁止条件の判定は、後述するように、記録対象画素の周辺画素を構成する信号の状況に基づいて行われる。実施の形態１２では、周辺画素の範囲を補正色決定と同じく、記録対象画素の上下、左右、及び斜め方向の８画素とする。記録画像の最初の画素の信号が入力された時点では、その周辺画素は未定のため、補正禁止条件の判定はできない。実施の形態１２では、周辺画素の範囲を補正色の決定時と同一にとっているため、補正禁止条件の判定可の条件も補正色の決定が可となる条件と同一である。すなわち、記録画像の第２ライン目の第２番目の画素がメモリ部３０６へ格納され、周辺画素が全てそろった時である。但し、第１ライン目の第１画素であるから、図５のａ、ｂ、ｃ、ｄ、ｇ画素は存在しないので判定対象とはしない。
【０１３８】
ステップＲ３において、補正禁止条件の判定が可能となると、ステップＲ４へ遷移し、制御部３０５は、第１ライン目の第１画素から順次記録対象画素をメモリ部３０６から読み出す。次に、読み出した記録対象画素の黒信号をチェックし（ステップＲ５）、論理「１」であれば、制御部３０５は、メモリ部３０６よりさらに記録対象画素の周辺画素を読み出し（ステップＲ６）、周辺画素を構成するシアン信号、マゼンタ信号、イエロー信号の各々の論理「１」の画素数を計数し（ステップＲ７）、この計数結果を各々比較し、最大値を検出する（ステップＲ８）。この時最大値をとる色が１色であれば（ステップＲ９）、その色を補正色とする（ステップＲ１０）。しかし、最大値をとる色が複数ある場合にはステップＲ９からステップＲ１１へ遷移し、乱数発生部１４０１を起動し（ステップＲ１１）、その乱数値から実施の形態４と同様に補正色を決定する（ステップＲ１２）。
【０１３９】
この補正色決定の動作と並行し、補正禁止条件の判定を行う（ステップＲ１３）。ステップＲ１３の詳細な内容については、実施の形態８と同様であるため、説明を省略する。
【０１４０】
制御部３０５は、ステップＲ１３において補正禁止が不成立と判定した場合には、ステップＲ１４からステップＲ１５へ遷移し、ステップＲ１０またはステップＲ１２で決めた補正色及び黒信号をプリンタ部３０７へ出力し（ステップＲ１５）、プリンタ部３０７は、これを記録する（ステップＲ１６）。また、ステップＲ１３において、補正禁止と判定した場合には、ステップＲ１４からステップＲ１７へ遷移し、ステップＲ４で読み出した記録対象画素の信号をそのままプリンタ部３０７へ出力し、プリンタ部３０７は、これを記録する（ステップＲ１７）。
【０１４１】
また、ステップＲ５において、黒信号の論理が「０」であれば、ステップＲ４で読み出した信号をそのままプリンタ部３０７へ出力し、プリンタ部３０７は、これを記録する（ステップＲ１７）。その後、プリンタ部３０７が１ページ全ての処理を終了したか否かを判定し（ステップＲ１８）、終了していなければステップＲ１からの動作を繰り返す。
【０１４２】
このように、本発明の実施の形態１２に係るカラー記録装置によれば、画像の条件に応じて補正色を記録すべきかどうかを判断し、補正色を記録した方が良い場合のみ、補正色を記録するよう制御するため、記録画像の品質劣化を防止することができる。また、計数値が最大となる色が複数ある場合は、乱数発生部１４０１が発生する乱数値を用いて補正色を決定することができるため、黒信号と共に記録する補正色をより簡易な方法で決定することができる。また、ある面積で見れば補正色の出現頻度は平均化され黒になる。
【０１４３】
【発明の効果】
以上の説明から明らかなように、本発明によれば、黒画素を黒色のインクで記録する際に、記録位置のずれが生じたことによって記録紙の地色が露出する場合であっても、記録対象黒画素の周辺画素に存在する各要素信号の内の一色の要素信号に対応するインクを黒色のインクと共に記録する。従って、記録紙の地色を記録対象黒画素の周辺画素に存在する各要素信号の内の一色の要素信号に対応するインクで隠蔽することにより、当該インクの色が目立つことなく記録画像のザラツキ感を解消させ、記録画像の劣化を防止することができる。
【０１４４】
一方、黒色以外のインク、すなわち補正色を記録することによる弊害を除去することが可能となる。即ち、録対象黒画素の周辺画素に存在する黒信号数が所定値以上の場合は、黒インクのみで記録されるいわゆる黒のべた画像であり、位置ずれが生じても画像全体で均一にずれるため、記録紙の地色が露出することが無く、そもそも補正色を記録する必要は無い。このような場合、補正色を記録するとインクが無駄になり、にじみの原因ともなるおそれがある。そこで、このような場合は補正色を記録することを禁止し、記録対象画素を黒色のインクのみで記録することとした。これにより、上記の弊害を回避することができる。また、記録対象黒画素の周辺画素に存在する、カラー及び黒がいずれも記録されていない非印字画素の数が所定値以上の場合は、記録画素の周辺に白画素（非印字画素）が多く、位置ずれしても位置ずれによって発生する白が目立たないため、黒インクのみを用いて記録することとし、黒色以外のインクを記録することによる弊害を防止することができる。さらに、記録対象黒画素の周辺画素に存在するカラー信号数が所定値以下の場合は、記録画素の周辺にカラー画素が少なく、位置ずれしても位置ずれによって発生する白が目立たないため、黒インクのみを用いて記録することとし、黒色以外のインクを記録することによる弊害を防止することができる。
【図面の簡単な説明】
【図１】本発明の実施の形態１に係るカラー記録装置の概略構成を示すブロック図
【図２】本発明の実施の形態１に係るカラー記録装置の動作フロー図
【図３】本発明の実施の形態２に係るカラー記録装置の概略構成を示すブロック図
【図４】本発明の実施の形態２に係るカラー記録装置の動作フロー図
【図５】注目画素に対する周辺画素を示す図
【図６】本発明の実施の形態３に係るカラー記録装置の概略構成を示すブロック図
【図７】本発明の実施の形態３に係るカラー記録装置の動作フロー図
【図８】本発明の実施の形態に係るカラー記録装置がカウンタ部のカウンタ値から補正色を決定する動作フロー図
【図９】本発明の実施の形態４に係るカラー記録装置の概略構成を示すブロック図
【図１０】本発明の実施の形態４に係るカラー記録装置の動作フロー図
【図１１】本発明の実施の形態４に係るカラー記録装置が乱数値から補正色を決定する動作フロー図
【図１２】本発明の実施の形態５に係るカラー記録装置の概略構成を示すブロック図
【図１３】本発明の実施の形態５に係るカラー記録装置の動作フロー図
【図１４】本発明の実施の形態６に係るカラー記録装置の概略構成を示すブロック図
【図１５】本発明の実施の形態６に係るカラー記録装置の動作フロー図
【図１６】本発明の実施の形態７に係るカラー記録装置の概略構成を示すブロック図
【図１７】本発明の実施の形態７に係るカラー記録装置の動作フロー図
【図１８】本発明の実施の形態８に係るカラー記録装置の動作フロー図
【図１９】本発明の実施の形態８に係るカラー記録装置の補正禁止条件を判定する第一の動作フロー図
【図２０】本発明の実施の形態８に係るカラー記録装置の補正禁止条件を判定する第二の動作フロー図
【図２１】本発明の実施の形態８に係るカラー記録装置の補正禁止条件を判定する第三の動作フロー図
【図２２】本発明の実施の形態８に係るカラー記録装置の補正禁止条件を判定する第四の動作フロー図
【図２３】本発明の実施の形態９に係るカラー記録装置の動作フロー図
【図２４】本発明の実施の形態１０に係るカラー記録装置の動作フロー図
【図２５】本発明の実施の形態１１に係るカラー記録装置の動作フロー図
【図２６】本発明の実施の形態１２に係るカラー記録装置の動作フロー図
【符号の説明】
１０１〜１０４、３０１〜３０４  入力端子
１０５  補正色発生部
１０６、３０７  プリンタ部
３０５  制御部
３０６  メモリ部
６０６、１２０１  カウンタ部
９０６、１４０１  乱数発生部
１６０１  補正禁止信号部
【図１】
0004231137.tif 000002
【図２】
0004231137.tif 000003
【図３】
0004231137.tif 000004
【図４】
0004231137.tif 000005
【図５】
0004231137.tif 000006
【図６】
0004231137.tif 000007
【図７】
0004231137.tif 000008
【図８】
0004231137.tif 000009
【図９】
0004231137.tif 000010
【図１０】
0004231137.tif 000011
【図１１】
0004231137.tif 000012
【図１２】
0004231137.tif 000013
【図１３】
0004231137.tif 000014
【図１４】
0004231137.tif 000015
【図１５】
0004231137.tif 000016
【図１６】
0004231137.tif 000017
【図１７】
0004231137.tif 000018
【図１８】
0004231137.tif 000019
【図１９】
0004231137.tif 000020
【図２０】
0004231137.tif 000021
【図２１】
0004231137.tif 000022
【図２２】
0004231137.tif 000023
【図２３】
0004231137.tif 000024
【図２４】
0004231137.tif 000025
【図２５】
0004231137.tif 000026
【図２６】
0004231137.tif 000027